(57)【要約】【課題】ケーブルのノイズを効果的に除去又は抑制することができるとともに、構造が簡単で、寸法が小さく、ケーブルへの装着が容易で、コストが低く、耐久性が高くなるようにする。【解決手段】ノイズ抑制装置１は、一端が一方のシールド部材９３に接続されるとともに他端が他方のシールド部材９３に接続されており、レジスタに相当する機能を発揮する一方の回路素子６１と、一端が一方のシールド部材９３に接続されているとともに他端が他方のシールド部材９３に一方の回路素子６１に対して並列に接続され、インダクタに相当する機能を発揮する他方の回路素子６２とを備える。【選択図】図１
2010129273.tif 000002
【特許請求の範囲】
【請求項１】
信号を伝達するためのコア部（９２）が延びる方向に沿って、該コア部（９２）の少なくとも一部に離間させて複数のシールド部材（９３）が設けられたケーブル（９１）と、
前記複数のシールド部材（９３）のうちの一方のシールド部材（９３）と他方のシールド部材（９３）との間に設けられたノイズ抑制装置（１）と
を有し、
該ノイズ抑制装置（１）は、
一端が前記一方のシールド部材（９３）に接続されるとともに他端が前記他方のシールド部材（９３）に接続されており、レジスタに相当する機能を発揮する一方の回路素子（６１）と、
一端が前記一方のシールド部材（９３）に接続されているとともに他端が前記他方のシールド部材（９３）に前記一方の回路素子（６１）に対して並列に接続され、インダクタに相当する機能を発揮する他方の回路素子（６２）と
を備えることを特徴とするノイズ抑制装置内蔵ケーブル。
【請求項２】
前記一方の回路素子（６１）は、
抵抗素子と、
前記抵抗素子の両端子と、
前記両端子の一部を各々露出させつつ前記抵抗素子及び前記両端子を封止するモールド樹脂と
を備え、
前記他方の回路素子（６３）は、
インダクタと、
前記インダクタの両端子と、
前記両端子の一部を各々露出させつつ前記インダクタ及び前記両端子を封止するモールド樹脂と
を備える請求項１に記載のノイズ抑制装置内蔵ケーブル。
【請求項３】
前記一方の回路素子（６１）は抵抗素子であり、かつ、前記他方の回路素子（６３）はインダクタ素子である請求項１に記載のノイズ抑制装置内蔵ケーブル。
【請求項４】
前記ノイズ抑制装置（１）は、
前記一方の回路素子（６１）と前記一方のシールド部材（９３）とに接続された一方のケーブル接続部材（１０）と、
前記他方の回路素子（６２）と前記他方のシールド部材（９３）に接続された他方のケーブル接続部材（１０）と
を備える請求項１〜３のいずれか１項に記載のノイズ抑制装置内蔵ケーブル。
【請求項５】
前記ケーブル接続部材（１０）は、平板状の可撓性部材であり、隣り合う前記シールド部材（９３）同士の間に位置する非シールド部（９３ａ）に巻付けられている請求項２又は３に記載のノイズ抑制装置内蔵ケーブル。
【請求項６】
前記ケーブル接続部材（１０）は、
絶縁性のフィルム状の基板部（１１）と、
当該基板部（１１）の上に形成された導電層部（５１）と
を含む請求項５に記載のノイズ抑制装置内蔵ケーブル。
【請求項７】
前記ケーブル接続部材（１０）は、
前記一方の回路素子（６１）及び前記他方の回路素子（６２）が取り付けられる回路素子取付部（２１）と、
当該回路素子取付部（２１）の一辺から延びて前記一方のシールド部材（９３）に接続される一方のケーブル側接続部（２２）と、
当該回路素子取付部（２１）の他辺から延びて前記他方のシールド部材（９３）に接続される他方のケーブル側接続部（２２）と
を含み、
前記回路素子取付部（２１）は、
前記一方のケーブル側接続部（２２）に接続されるとともに前記一方の回路素子（６１）に接続される一方の回路素子接続部（２１ａ）と、
前記他方のケーブル側接続部（２２）に接続されるとともに前記他方の回路素子（６２）に接続される他方の回路素子接続部（２１ａ）と、
前記一方の回路素子接続部（２１ａ）と前記他方の回路素子接続部（２１ａ）とを電気的に分離する分離部（２１ｂ）と
を含む請求項５に記載のノイズ抑制装置内蔵ケーブル。
【請求項８】
前記一方のケーブル側接続部（２２）及び前記他方のケーブル側接続部（２２）の少なくとも一方は短冊状の電極が配列した櫛歯形状である請求項７に記載のノイズ抑制装置内蔵ケーブル。
【請求項９】
前記ノイズ抑制装置（１）は、
前記コア部（９２）に巻き付けられた状態で、被覆部材（９３）によって覆われている請求項１〜７のいずれか１項に記載のノイズ抑制装置内蔵ケーブル。
【請求項１０】
（ａ）回路素子（６１、６２）と、
（ｂ）該回路素子（６１、６２）の両端に接続されるとともに、ケーブル（９１）の外側シールド部材（９３）に接続されるケーブル接続部材（１０）とを有することを特徴とするノイズ抑制装置（１）。
【発明の詳細な説明】
【技術分野】
【０００１】
本発明は、ノイズを抑制するためのノイズ抑制装置及びそれを内蔵したノイズ抑制装置内蔵ケーブル等に関するものである。
【背景技術】
【０００２】
従来、信号ケーブルによって伝送される信号が受けるノイズの影響を抑制するためにフェライトコアが使用されている（例えば、特許文献１参照。）。
【０００３】
図４は従来のノイズ抑制装置を示す図である。
【０００４】
図において、８５１はノイズ抑制装置のフェライトコアであり、中心に形成された貫通孔（こう）８５２を備え、概略円筒状の形状を備える。また、８１０は前記フェライトコア８５１を収容する合成樹脂製のケースであり、当該ケース８１０は第１ケース部８１１及び第２ケース部８１２を備える。なお、前記第１ケース部８１１と第２ケース部８１２とは、ヒンジ部８１６によって互いに接続されている。
【０００５】
そして、８９１は信号を伝送する信号ケーブルであり、図に示されるように、フェライトコア８５１の貫通孔８５２に挿通される。この状態で、ヒンジ部８１６を中心として第２ケース部８１２を第１ケース部８１１に対して回転させ、第１ケース部８１１と第２ケース部８１２とによってフェライトコア８５１を挟込む。そして、第１ケース部８１１の備える第１係合部８１４と第２ケース部８１２の備える第２係合部８１５とを互いに係合させると、フェライトコア８５１がケース８１０によって包込まれた状態となる。なお、信号ケーブル８９１は、第１ケース部８１１及び第２ケース部８１２の側壁に形成された開口部８１３を通過する。
【０００６】
これにより、ノイズ抑制装置が信号ケーブル８９１に装着される。
【特許文献１】特開２００６−１４７７９６号公報
【発明の開示】
【発明が解決しようとする課題】
【０００７】
しかしながら、前記従来のノイズ抑制装置においては、フェライトコア８５１を使用しているので、その外形寸法が大きくなり、とりわけ外径が信号ケーブル８９１の数倍以上に大きくなってしまう。そのため、プラズマディスプレイ、ＬＥＤ（Ｌｉｇｈｔ  Ｅｍｉｔｔｉｎｇ  Ｄｉｏｄｅ）ディスプレイ、ＬＣＤ（Ｌｉｑｕｉｄ  Ｃｒｙｓｔａｌ  Ｄｉｓｐｌａｙ）等の薄型ディスプレイを用いたテレビや、携帯電話機やＰＤＡ（Ｐｅｒｓｏｎａｌ  Ｄｉｇｉｔａｌ  Ａｓｓｉｓｔａｎｔ）等のように、薄型又は小型で内部スペースが限られた電子機器内の配線に前記従来のノイズ抑制装置を使用することは困難である。また、一般的なフェライトコアは高価なので、前記従来のノイズ抑制装置はコストが高くなってしまう。
【０００８】
本発明は、前記従来のノイズ抑制装置内蔵ケーブルの問題点を解決して、回路素子の両端をケーブル接続部材によってケーブルのシールド部材に接続することにより、ケーブルのノイズを効果的に除去又は抑制することができるとともに、構造が簡単で、寸法が小さく、ケーブルへの装着が容易で、コストが低く、耐久性が高いノイズ抑制装置及びノイズ抑制装置内蔵ケーブルを提供することを目的とする。
【課題を解決するための手段】
【０００９】
そのために、本発明のノイズ抑制装置内蔵ケーブルにおいては、信号を伝達するためのコア部が延びる方向に沿ってコア部の少なくとも一部に離間させて複数のシールド部材が設けられたケーブルと、複数のシールド部材のうちの一方のシールド部材と他方のシールド部材との間に設けられたノイズ抑制装置とを有し、ノイズ抑制装置は、一端が一方のシールド部材に接続されるとともに他端が前記他方のシールド部材に接続されており、レジスタに相当する機能を発揮する一方の回路素子と、一端が一方のシールド部材に接続されているとともに他端が他方のシールド部材に一方の回路素子に対して並列に接続され、インダクタに相当する機能を発揮する他方の回路素子とを備える。
【００１０】
本発明の他のノイズ抑制装置内蔵ケーブルにおいては、さらに、一方の回路素子は、抵抗素子と、抵抗素子の両端子と、両端子の一部を各々露出させつつ抵抗素子及び両端子を封止するモールド樹脂とを備え、他方の回路素子は、インダクタと、インダクタの両端子と、両端子の一部を各々露出させつつインダクタ及び両端子を封止するモールド樹脂とを備える。
【００１１】
本発明の更に他のノイズ抑制装置内蔵ケーブルにおいては、さらに、一方の回路素子は抵抗素子であり、かつ、他方の回路素子はインダクタ素子である。
【００１２】
本発明の更に他のノイズ抑制装置内蔵ケーブルにおいては、さらに、ノイズ抑制装置は、一方の回路素子と一方のシールド部材とに接続された一方のケーブル接続部材と、他方の回路素子と他方のシールド部材に接続された他方のケーブル接続部材とを備える。
【００１３】
本発明の更に他のノイズ抑制装置内蔵ケーブルにおいては、さらに、ケーブル接続部材は、平板状の可撓性部材であり、隣り合うシールド部材同士の間に位置する非シールド部に巻付けられている。
【００１４】
本発明の更に他のノイズ抑制装置内蔵ケーブルにおいては、さらに、ケーブル接続部材は、絶縁性のフィルム状の基板部と、当該基板部の上に形成された導電層部とを含む。
【００１５】
本発明の更に他のノイズ抑制装置内蔵ケーブルにおいては、さらに、ケーブル接続部材は、一方の回路素子及び他方の回路素子が取付けられる回路素子取付部と、当該回路素子取付部の一辺から延びて一方のシールド部材に接続される一方のケーブル側接続部と、当該回路素子取付部の他辺から延びて他方のシールド部材に接続される他方のケーブル側接続部とを含み、回路素子取付部は、一方のケーブル側接続部に接続されるとともに一方の回路素子に接続される一方の回路素子接続部と、他方のケーブル側接続部に接続されるとともに他方の回路素子に接続される他方の回路素子接続部と、一方の回路素子接続部と他方の回路素子接続部とを電気的に分離する分離部とを含む。
【００１６】
本発明の更に他のノイズ抑制装置内蔵ケーブルにおいては、さらに、一方のケーブル側接続部及び他方のケーブル側接続部の少なくとも一方は短冊状の電極が配列した櫛（くし）歯形状である。
【００１７】
本発明の更に他のノイズ抑制装置内蔵ケーブルにおいては、さらに、ノイズ抑制装置は、コア部に巻付けられた状態で、被覆部材によって覆われている。
【００１８】
上記課題を解決するために、本発明のノイズ抑制装置は、回路素子と、該回路素子の両端に接続されるとともに、ケーブルの外側シールド部材に接続されるケーブル接続部材とを有する。
【発明の効果】
【００１９】
本発明によれば、ケーブルのノイズを効果的に除去又は抑制することができるとともに、構造が簡単で、寸法が小さく、ケーブルへの装着が容易で、コストが低く、耐久性の高いノイズ抑制装置１及びノイズ抑制装置内蔵ケーブルを提供することができる。
【発明を実施するための最良の形態】
【００２０】
以下、本発明の実施の形態について図面を参照しながら詳細に説明する。
【００２１】
図１は本発明の実施の形態におけるノイズ抑制装置を示す平面図である。なお、図において、（ａ）はノイズ抑制装置の完成状態を示す図、（ｂ）は回路素子の取付け前の状態を示す図である。
【００２２】
図において、１は本実施の形態におけるノイズ抑制装置であり、後述されるケーブル９１に取付けられ、当該ケーブル９１のノイズを抑制する。
【００２３】
なお、本実施の形態において、ノイズ抑制装置１及びケーブル９１の各部の構成及び動作を説明するために使用される上、下、左、右、前、後等の方向を示す表現は、絶対的なものでなく相対的なものであり、ノイズ抑制装置１及びケーブル９１が図に示される姿勢である場合に適切であるが、ノイズ抑制装置１及びケーブル９１の姿勢が変化した場合には姿勢の変化に応じて変更して解釈されるべきものである。
【００２４】
そして、ノイズ抑制装置１は、図１（ａ）に示されるように、ケーブル接続部材としての本体部１０と、当該本体部１０に取付けられた回路素子としてのレジスタ（Ｒｅｓｉｓｔｏｒ）６１及びインダクタ（Ｉｎｄｕｃｔｏｒ）６２とを有する。
【００２５】
ここで、前記レジスタ６１は一方の回路素子に相当し、インダクタ６２は他方の回路素子に相当する。なお、前記レジスタ６１及びインダクタ６２は、本体の両側からはんだ接続用のリード線が延出するリード線付抵抗器及びリード線付コイルのような抵抗器及びコイルであってもよい。本実施の形態においては、リード線を備えていない微小な直方体状、チップ状の部品であるチップ抵抗及びチップコイル（又はコイルチップ）であるものとして説明する。
【００２６】
すなわち、これらレジスタ６１及びインダクタ６２は次のように構成されている。レジスタ６１は、抵抗素子と、抵抗素子の両端子と、それら両端子の一部を各々露出させつつ抵抗素子及びそれら両端子を封止するモールド樹脂とを含む。一方、インダクタ６２は、他方の回路素子６３は、インダクタと、インダクタの両端子と、これら両端子の一部を各々露出させつつインダクタ及びそれら両端子を封止するモールド樹脂とを含む。
【００２７】
前記本体部１０は、レジスタ６１及びインダクタ６２が取付けられる回路素子取付部２１及び当該回路素子取付部２１の両側に配設されたケーブル側接続部２２を有する。回路素子取付部２１は、ケーブル側接続部２２を介してレジスタ６１及びインダクタ６２が取付けられる部分である。つまり本体部１０は、前記回路素子取付部２１の他、その回路素子取付部２１の一辺から延びて一方のシールド部材９３に接続される一方のケーブル側接続部２２と、その回路素子取付部２１の他辺から延びて他方のシールド部材（９３）に接続される他方のケーブル側接続部２２とを備えている。当該ケーブル側接続部２２は、ケーブル９１の後述されるシールド部材９３にはんだ付等の導電性接続手段によって接続される部分である。両ケーブル側接続部２２のうち少なくとも一方は、後述するように短冊状の電極が配列した櫛歯形状となっている。
【００２８】
図の左側のケーブル接続部材１０（一方のケーブル接続部材に相当）は、レジスタ６１と一方のシールド部材９３とに接続されている。一方、図の右側のケーブル接続部材１０（他方のケーブル接続部材に相当）は、インダクタ６２と他方のシールド部材９３に接続されている。
【００２９】
また、前記回路素子取付部２１は、分離部２１ｂ及び当該分離部２１ｂの両側に配設された回路素子接続部２１ａを備える。これら回路素子接続部２１ａは、それぞれ一方の回路素子接続部及び他方の回路接続部に相当する。一方の回路素子接続部２１ａは、レジスタ６１及びインダクタ６２の両一端に電気的に接続されるとともに、一方のシールド部材９３に電気的に接続されている。他方の回路素子接続部２１ａは、レジスタ６１及びインダクタ６２の両他端に電気的に接続されるとともに、他方のシールド部材９３に電気的に接続されている。また、前記分離部２１ｂは、左右の回路素子接続部２１ａを電気的に分離する、すなわち、非導通状態にする部分である。
【００３０】
なお、前記本体部１０は、いかなる種類の部材から成るものであってもよいが、本実施の形態においては、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等の平板状の可撓性ケーブルを加工したものである場合について説明する。
【００３１】
この場合、前記本体部１０は、可撓性を備える絶縁性のフィルムから成る基板部１１と、当該基板部１１の上面に形成された薄膜状又は薄層状の金属等の導電性材料から成る導電層部５１とを有する。そして、当該導電層部５１は、多数の開口を備える網目状に形成された多孔部５３を前記回路素子接続部２１ａに対応する部分に備える。また、前記導電層部５１は、凸部５２ａ及び凹部５２ｂを備え、櫛歯状に形成された凹凸部５２を前記ケーブル側接続部２２に備える。
【００３２】
なお、図に示される例においては、導電層部５１の下方に位置する基板部１１も凹凸部５２と同様の形状、すなわち、凸部５２ａと同様の凸部及び凹部５２ｂと同様の凹部を備える櫛歯状に形成されているが、基板部１１は、凹凸部５２の下方に存在しなくてもよいし、凹凸部５２の下方全面に存在してもよい。すなわち、基板部１１は、凸部５２ａと同様の凸部を備えていなくてもよいし、凹部５２ｂと同様の凹部を備えていなくてもよい。
【００３３】
また、前記導電層部５１は、分離部２１ｂには原則として存在しないが、左右の多孔部５３の内側端縁の各々から、他方の多孔部５３に向けて延出する接続突片５４が前記分離部２１ｂに位置する。なお、図に示される例において、左右の多孔部５３は、接続突片５４を２つずつ備え、左右の接続突片５４同士は互いに対向する位置にある。そして、互いに対向する接続突片５４の上面には、レジスタ６１及びインダクタ６２の下面に形成された図示されない接続端子部が、はんだ付等の導電性接続手段によって接続される。
【００３４】
なお、図１（ａ）に示される例においては、レジスタ６１が図の上方の接続突片５４（図１（ｂ）参照）に接続され、インダクタ６２が図の下方の接続突片５４（図１（ｂ）参照）に接続されているが、レジスタ６１の位置とインダクタ６２の位置とを入替えることもできる。
【００３５】
また、図１（ｂ）に示されるように、互いに対向する接続突片５４同士の先端が離間しているので、レジスタ６１及びインダクタ６２を取付けない状態において、左右の多孔部５３同士は非導通の状態になっている。すなわち、レジスタ６１及びインダクタ６２を互いに対向する接続突片５４に接続して回路素子取付部２１に取付けることによって、左右の回路素子接続部２１ａは、レジスタ６１及びインダクタ６２を介して電気的に接続され、同様に、左右のケーブル側接続部２２も、レジスタ６１及びインダクタ６２を介して電気的に接続される。これにより、レジスタ６１及びインダクタ６２を並列に配列し、左右のケーブル側接続部２２を端子としたＲＬ回路が構成される。レジスタ６１はノイズを吸収して熱に変換する機能を有し、インダクタ６２はノイズを反射する機能を有する。このＲＬ回路は、例えば低い周波数では機能せず信号をそのまま通過させる。
【００３６】
なお、図に示される例において、本体部１０の形状は、左右対称及び上下対称となっているが、必ずしも左右対称及び上下対称である必要はなく、左右非対称又は上下非対称であってもよい。
【００３７】
次に、前記構成のノイズ抑制装置１をケーブル９１に取付ける方法について説明する。
【００３８】
図２は本発明の実施の形態におけるノイズ抑制装置をケーブルに取付ける方法を示す斜視図である。なお、図において、（ａ）はノイズ抑制装置の取付け前の状態を示す図、（ｂ）はノイズ抑制装置を取付けた状態を示す図、（ｃ）はノイズ抑制装置をカバーで覆った状態を示す図である。
【００３９】
図２（ａ）に示されるように、本実施の形態におけるノイズ抑制装置内蔵ケーブルは、ケーブル９１及びノイズ抑制装置１を有する。ケーブル９１は、信号を伝達するためのコア部９２が延びる方向に沿ってコア部９２の少なくとも一部に離間させて複数のシールド部材９３が設けられている。ノイズ抑制装置１は、複数のシールド部材９３のうちの一方のシールド部材９３と他方のシールド部材９３との間に設けられている。
【００４０】
ノイズ抑制装置１を取付ける対象となるケーブル９１は、信号を伝送する信号ケーブルであり、テレビジョン受像装置、携帯電話機、ＰＤＡ、コンピュータその他の電子機器又は電気機器の信号配線に使用され、その一端が信号の送受信を行う送受信デバイス９５に接続されているものとする。なお、前記ケーブル９１は、シリアルケーブルであってもよく、パラレルケーブルであってもよく、いかなる種類の信号ケーブルであってもよい。また、伝送する信号も、高周波信号であってもよく、デジタル信号であってもよく、差動信号であってもよく、いかなる種類の信号であってもよい。
【００４１】
そして、前記ケーブル９１は、複数又は単数の図示されない導電芯（しん）線を内部に含み、少なくとも外表面が樹脂等の絶縁性材料で形成されているコア部９２と、金属、カーボン等の導電性材料から成る網、板等を円筒状に形成した部材であって前記コア部９２の周囲を覆うシールド部材９３と、樹脂等の絶縁性材料から成る円筒状の部材であって前記コア部９２の周囲を覆う外側被覆部材９４とを有する。隣り合うシールド部材９３同士の間には、シールドされていない部分である非シールド部９３ａが形成されている。ケーブル接続部材としての本体部１０は、この非シールド部９３ａに巻付けられる。
【００４２】
前記ノイズ抑制装置１は、少なくともレジスタ６１及びインダクタ６２を有する。レジスタ６１はレジスタに相当する機能を発揮し、その一端が一方のシールド部材９３に接続されるとともに他端が他方のシールド部材９３に接続されている。インダクタ６２はインダクタに相当する機能を発揮し、その一端が一方のシールド部材９３に接続されているとともに他端が他方のシールド部材９３に一方の回路素子６１に対して並列に接続されている。
【００４３】
また、ノイズ抑制装置１を取付ける前に、前記ケーブル９１には、外側被覆部材９４を所定の範囲で除去した外側被覆除去部９４ａと、当該外側被覆除去部９４ａ内においてシールド部材９３を所定の範囲で除去した非シールド部９３ａとが形成される。なお、ケーブル９１の軸方向に関する前記外側被覆除去部９４ａの寸法は、ノイズ抑制装置１の本体部１０全体の幅方向（図１における左右方向）の寸法よりも長く設定される。また、ケーブル９１の軸方向に関する前記非シールド部９３ａの寸法は、前記本体部１０の基板部１１の幅方向の寸法よりも長く設定される。さらに、前記本体部１０全体の縦方向（図１における上下方向）の寸法は、前記外側被覆除去部９４ａの外周とほぼ同等となるように設定されることが望ましい。
【００４４】
続いて、図２（ｂ）に示されるように、ノイズ抑制装置１をケーブル９１の外側被覆除去部９４ａの周囲に巻付ける。この場合、前記本体部１０におけるレジスタ６１及びインダクタ６２を取付けた側の面、すなわち、上面が外側を向くように巻付ける。また、前記本体部１０の基板部１１が非シールド部９３ａの範囲内に位置するようにすることが望ましい。
【００４５】
なお、多孔部５３は、網目状、すなわち、メッシュ状なので、柔軟性が高くなっている。そのため、本体部１０全体の柔軟性が高く、ノイズ抑制装置１の巻付けを容易に行うことができる。なお、前記多孔部５３の開口パターンは、必ずしも網目状である必要はなく、例えば半田が浸透する程度の多数の開口を備え、それにより柔軟性を高めることができれば、いかなる形態の開口パターンであってもよい。
【００４６】
同様に、凹凸部５２も櫛歯状に形成されているので、柔軟性が高くなっている。そのため、本体部１０全体の柔軟性が高く、ノイズ抑制装置１の巻付けを容易に行うことができる。
【００４７】
続いて、ノイズ抑制装置１の両側の凹凸部５２をはんだ等の導電性接続部材によって、それぞれ、対応するシールド部材９３に接続する。この場合、十分な量の導電性接続部材を付与して当該導電性接続部材が凸部５２ａの上面も覆うようにする。これにより、凹凸部５２とシールド部材９３との導通が確実になるとともに、凹凸部５２とシールド部材９３との機械的接続も確実になる。また、凹部５２ｂに導電性接続部材が入り込むので、凹凸部５２とシールド部材９３との接続がより確実なものになる。
【００４８】
続いて、ケーブル９１に取付けられたノイズ抑制装置１の全体を覆う被覆部材９６を形成する。つまりノイズ抑制装置１は、コア部９２に巻付けられた状態で被覆部材９３によって覆われている。当該被覆部材９６は、外側被覆部材９４と同様に、樹脂等の絶縁性材料から成り、オーバーモールド等の方法によって形成される。この場合、被覆部材９６は、図２（ｃ）に示されるように、ノイズ抑制装置１だけでなく、外側被覆除去部９４ａの全体及び当該外側被覆除去部９４ａの両側に位置する外側被覆部材９４の一部も覆うように形成されるようにしてもよい。またこの場合、被覆部材９６は、ノイズ抑制装置１のみを覆い、外側被覆部材９４とほぼ同様の外形を有する構成としても良い。このようにすると、見た目上、ノイズ抑制装置内蔵ケーブルにおいてノイズ抑制装置１の存在を視覚的に分からないようにすることが可能であり、ノイズ抑制装置内蔵ケーブル全体の美感を向上することができる。
【００４９】
これにより、ノイズ抑制装置１のケーブル９１への取付けが完了する。
【００５０】
次に、前記ノイズ抑制装置１の性能について説明する。
【００５１】
図３は本発明の実施の形態におけるノイズ抑制装置のインピーダンス周波数特性を示す図である。なお、図において、縦軸はインピーダンス〔Ω〕、横軸は周波数〔Ｈｚ〕を示す。
【００５２】
図において、実線で示される線Ａは、本実施の形態におけるノイズ抑制装置１のインピーダンス周波数特性を示す線であり、シミュレーション結果を示すものである。また、点線で示される線Ｂは、比較例として使用した市販されているフェライトコアの特性を示すものである。
【００５３】
本実施形態では、市販されているフェライトコアと同様の特性を発揮することができるように、レジスタ６１及びインダクタ６２の特性を調整してシミュレーションを行った。そのため、比較例として使用したフェライトコアのインピーダンスを各周波数で測定したところ、次のような数値を得た。
周波数ｆ＝１×１０6 〔Ｈｚ〕：インピーダンスＺ＝２５〔Ω〕
周波数ｆ＝５×１０6 〔Ｈｚ〕：インピーダンスＺ＝７５〔Ω〕
周波数ｆ＝１×１０7 〔Ｈｚ〕：インピーダンスＺ＝１００〔Ω〕
周波数ｆ＝１×１０8 〔Ｈｚ〕：インピーダンスＺ＝２００〔Ω〕
周波数ｆ＝２×１０8 〔Ｈｚ〕：インピーダンスＺ＝４００〔Ω〕
以上の数値をプロットして作成したものが前記線Ｂである。
【００５４】
また、本実施の形態におけるノイズ抑制装置１は、前述のようにレジスタ６１すなわちＲと、インダクタ６２すなわちＬとが並列に配列されたＲＬ回路、すなわち、ＲＬ並列回路と考えることができる。そして、ＲＬ並列回路のインピーダンスＺは、一般に次の式（１）で求められる。
【００５５】
【数１】
2010129273.tif 000003
【００５６】
ここで、Ｒ＝２００〔Ω〕、Ｌ＝３〔μＨ〕とすると、前記線Ａで示されるようなＺとｆの関係、すなわち、ノイズ抑制装置１のインピーダンス周波数特性を得ることができる。
【００５７】
ＲＬ並列回路の場合、高周波領域（例えば、ｆ＞１×１０8 〔Ｈｚ〕＝１〔ＧＨｚ〕）ではＬの抵抗値が非常に大きくなるので、電流はほぼＲのみに流れることとなり、その結果、ＲＬ並列回路全体のインピーダンスは、ほぼＲのインピーダンスと等しくなる。そこで、Ｒの値を、高周波領域におけるノイズ抑制装置１のインピーダンスの所望値（例えば、２００〔Ω〕）とする。また、より低周波の領域（例えば、ｆ≒１×１０7 〔Ｈｚ〕）では、例えば、ＲＬ並列回路全体のインピーダンスを１００〔Ω〕とするためには、周波数ｆ＝１×１０7 〔Ｈｚ〕のときに２００〔Ω〕のＲとＬとの並列抵抗が１００〔Ω〕となるように、Ｌ＝３〔μＨ〕とする。
【００５８】
図において、前記線Ａと線Ｂとを比較すると、互いによく似た曲線であることが分かる。このことから、本実施の形態におけるノイズ抑制装置１が、市販されているフェライトコアと同様のインピーダンスの周波数特性を発揮するように調整可能であることが、明らかである。
【００５９】
このように、高周波領域におけるノイズ抑制装置１のインピーダンスを高くすることによって、高周波のノイズを効果的に除去又は抑制することができる。また、市販されているフェライトコアは、低周波領域のインピーダンスが低いので、高周波のノイズを除去又は抑制することが困難であるが、前記ノイズ抑制装置１は、インダクタ６２、すなわち、Ｌの値を大きくする（例えば、Ｌ＝１０〔μＨ〕とする）ことによって、低周波領域のインピーダンスを高くすることができ、低周波のノイズをも効果的に除去又は抑制することができる。
【００６０】
なお、ここでは、レジスタ６１及びインダクタ６２が１つずつである例についてのみ説明したが、レジスタ６１及びインダクタ６２は複数であってもよい。例えば、並列に配列されたレジスタ６１及びインダクタ６２の組を直列に複数接続してもよいし、並列に配列されたレジスタ６１及びインダクタ６２の組にもう１つのレジスタ６１を直列に接続してもよい。
【００６１】
また、レジスタ６１及びインダクタ６２がチップ抵抗及びチップコイル（又はコイルチップ）である例についてのみ説明したが、レジスタ６１及びインダクタ６２は、それぞれ本体の両側からはんだ接続用のリード線が延出するリード線付抵抗器及びリード線付コイルのような抵抗器及びコイルであってもよい。
【００６２】
またレジスタ６１は、レジスタそのもののみならずレジスタに相当する機能を発揮する素子又は回路で代用しても良く、インダクタ６２は、インダクタそのもののみならずインダクタに相当する機能を発揮する機能を有する素子又は回路で代用しても良い。
【００６３】
このように、本実施の形態において、ノイズ抑制装置内蔵ケーブルは、信号を伝達するためのコア部９２が延びる方向に沿ってコア部９２の少なくとも一部に離間させて複数のシールド部材９３が設けられたケーブル９１と、複数のシールド部材９３、９３のうちの一方のシールド部材９３と他方のシールド部材９３との間に設けられたノイズ抑制装置１とを有し、ノイズ抑制装置１は、一端が一方のシールド部材９３に接続されるとともに他端が他方のシールド部材９３に接続されており、レジスタに相当する機能を発揮する一方の回路素子６１と、一端が一方のシールド部材９３に接続されているとともに他端が他方のシールド部材９３に一方の回路素子６１に対して並列に接続され、インダクタに相当する機能を発揮する他方の回路素子６２とを備える。
【００６４】
これにより、ＲＬ並列回路を実現することができ、ＲＬ並列回路全体のインピーダンスの周波数特性を任意に調整することができるので、所望の周波数のノイズを効果的に除去又は抑制することができる。また、本実施の形態におけるノイズ抑制装置内蔵ケーブルは、内蔵するノイズ抑制装置１の構造が簡単で、そのノイズ抑制装置１の部分がフェライトコアを用いた従来のノイズ抑制装置に比べると寸法が小さくなる。しかも、このノイズ抑制装置１は、ケーブル９１への装着が容易であり、前記従来のノイズ抑制装置に比べると簡易なアセンブリ工程を経て製造することができることから製造コストを低減できる。また、このノイズ抑制装置１は、前記従来のノイズ抑制装置に比べると、電気的な手法により直接的にノイズを効率良く除去することができ、ノイズ抑制装置内蔵ケーブルの信頼性が向上する。しかも、このノイズ抑制装置１は、そのような小型化によりケーブル９１に内蔵された場合に周囲の障害物に直接的に当たりにくくなって外的衝撃を受けにくく耐久性を高めることができる。従って、以上のようなノイズ抑制装置内蔵ケーブルは、フェライトコアを用いた従来のノイズ抑制装置の代りとなる効果的なノイズ抑制装置として用いることができる。
【００６５】
また、本実施形態では、一方の回路素子６１は、抵抗素子と、抵抗素子の両端子と、両端子の一部を各々露出させつつ抵抗素子及び両端子を封止するモールド樹脂とを備えていおり、いわゆるチップ抵抗とも呼ばれる。一方、他方の回路素子６２は、インダクタと、インダクタの両端子と、両端子の一部を各々露出させつつインダクタ及び両端子を封止するモールド樹脂とを備え、いわゆるチップコイルと呼ばれる。これにより、ノイズ抑制装置１全体を小型化することができる。
【００６６】
また、本実施形態では、一方の回路素子６１は抵抗素子で代用し、かつ、他方の回路素子６３はインダクタ素子で代用しても良い。
【００６７】
また、本実施形態では、ノイズ抑制装置内蔵ケーブルは、一方の回路素子６１と一方のシールド部材９３とに接続された一方のケーブル接続部材１０（本体部に相当）と、他方の回路素子６２と他方のシールド部材９３に接続された他方のケーブル接続部材１０（本体部に相当）とを備える。
【００６８】
さらに、本体部１０は、平板状の可撓性部材であり、隣り合うシールド部材９３同士の間に位置する非シールド部９３ａに巻付けられている。これにより、ノイズ抑制装置１が取付けられたケーブル９１の外径を小さくすることができる。したがって、ノイズ抑制装置１が取付けられたケーブル９１を薄型又は小型の電気機器又は電子機器内の配線に容易に使用することができる。
【００６９】
さらに、本体部１０は、絶縁性のフィルム状の基板部１１と、基板部１１の上に形成された導電層部５１とを含む。これにより、本体部１０をフレキシブルフラットケーブル、フレキシブル回路基板等を加工して作成することができ、ノイズ抑制装置１の製造コストを低減することができる。
【００７０】
また、本実施形態では、ノイズ抑制装置内蔵ケーブルが、ケーブル接続部材１０は、一方の回路素子６１及び他方の回路素子６２が取付けられる回路素子取付部２１と、当該回路素子取付部２１の一辺から延びて一方のシールド部材９３に接続される一方のケーブル側接続部２２と、当該回路素子取付部２１の他辺から延びて他方のシールド部材９３に接続される他方のケーブル側接続部２２とを含み、回路素子取付部２１は、一方のケーブル側接続部２２に接続されるとともに一方の回路素子６１に接続される一方の回路素子接続部２１ａと、他方のケーブル側接続部２２に接続されるとともに他方の回路素子６２に接続される他方の回路素子接続部２１ａと、一方の回路素子接続部２１ａと他方の回路素子接続部２１ａとを電気的に分離する分離部２１ｂとを含む。
【００７１】
また、本実施形態では、一方のケーブル側接続部２２及び他方のケーブル側接続部２２の少なくとも一方は短冊状の電極が配列した櫛歯形状である。これにより、シールド部材９３に巻付けたケーブル側接続部２２を容易にはんだ付することができる。
【００７２】
また、本実施形態では、ノイズ抑制装置１は、コア部９２に巻付けられた状態で、被覆部材９６によって覆われている。これにより、ノイズ抑制装置１を保護することができる。
【００７３】
このように、本実施の形態において、ノイズ抑制装置１は、回路素子としてのレジスタ６１及びインダクタ６２と、これらレジスタ６１及びインダクタ６２の両端に接続されるとともに、ケーブル９１の外側シールド部材９３に接続されるケーブル接続部材１０とを有する。これにより、上記同様にＲＬ並列回路を実現することができ、ＲＬ並列回路全体のインピーダンスの周波数特性を任意に調整することができるので、所望の周波数のノイズを効果的に除去又は抑制することができる。また、本実施の形態におけるノイズ抑制装置１は、構造が簡単で、フェライトコアを用いた従来のノイズ抑制装置に比べると寸法が小さくなる。しかも、このノイズ抑制装置１は、ケーブル９１への装着が容易であり、前記従来のノイズ抑制装置に比べると簡易なアセンブリ工程を経て製造することができることから製造コストを低減できる。また、このノイズ抑制装置１は、前記従来のノイズ抑制装置に比べると、電気的な手法により直接的にノイズを効率良く除去することができ、信頼性が向上する。しかも、このノイズ抑制装置１は、そのような小型化によりケーブル９１に内蔵された場合に周囲の障害物に直接的に当たりにくくなって外的衝撃を受けにくく耐久性を高めることができる。従って、以上のようなノイズ抑制装置は、フェライトコアを用いた従来のノイズ抑制装置の代りとなる効果的なノイズ抑制装置として用いることができる。
【００７４】
さらに、本実施の形態において、ノイズ抑制装置１は、ケーブル９１に取付ける低背型、すなわち、ロープロファイルのカラー（Ｃｏｌｌａｒ）状の装置である。したがって、市販されているフェライトコアのような太いドーナッツ形状でなく、ロープロファイルのスリーブ形状の微小な寸法の装置でありながら、ＥＭＩ（Electromagnetic Interference）ノイズを除去又は抑制することができる。
【００７５】
また、ノイズ抑制装置１は、積層状態のスリーブとしてケーブル９１に取付けられる。第１の層は、レジスタ６１及びインダクタ６２を中心に備えるとともに、ＦＰＣ等の平板状の可撓性ケーブルから成る本体部１０を備える回路素子層である。そして、チップ状のレジスタ６１及びインダクタ６２として、シールド部材９３が除去された非シールド部９３ａの寸法と同等の寸法のものを採用することができる。この場合、チップ状のレジスタ６１及びインダクタ６２は、非シールド部９３ａ内に嵌め込まれるので、ケーブル９１の外周面が膨らんでしまうことがない。さらに、本体部１０の両側のケーブル側接続部２２は、わずかながら、はんだ等の導電性接続部材の層によって覆われ、さらに、スリーブ状の被覆部材９６によって覆われる。さらに、平板状の可撓性ケーブルから成る本体部１０は、フレキシブルなので、ケーブル９１の外形に適合し、ケーブル９１を湾曲した場合であっても、ケーブル９１の外形の変化に追従する。
【００７６】
なお、本発明は前記実施の形態に限定されるものではなく、本発明の趣旨に基づいて種々変形させることが可能であり、それらを本発明の範囲から排除するものではない。
【図面の簡単な説明】
【００７７】
【図１】本発明の実施の形態におけるノイズ抑制装置を示す平面図であり、（ａ）は完成状態を示す図、（ｂ）は回路素子の取付け前の状態を示す図である。
【図２】本発明の実施の形態におけるノイズ抑制装置をケーブルに取付ける方法を示す斜視図であり、（ａ）はノイズ抑制装置の取付け前の状態を示す図、（ｂ）はノイズ抑制装置を取付けた状態を示す図、（ｃ）はノイズ抑制装置をカバーで覆った状態を示す図である。
【図３】本発明の実施の形態におけるノイズ抑制装置のインピーダンスの周波数特性を示す図である。
【図４】従来のノイズ抑制装置を示す図である。
【符号の説明】
【００７８】
１    ノイズ抑制装置
１０    本体部
１１    基板部
２１    回路素子取付部
２１ａ    回路素子接続部
２１ｂ    分離部
２２    ケーブル側接続部
５１    導電層部
５２    凹凸部
５２ａ    凸部
５２ｂ    凹部
５３    多孔部
５４    接続突片
６１    レジスタ
６２    インダクタ
９１    ケーブル
９２    コア部
９３    シールド部材
９３ａ    非シールド部
９４    外側被覆部材
９４ａ    外側被覆除去部
９５    送受信デバイス
９６    被覆部材
８１０    ケース
８１１    第１ケース部
８１２    第２ケース部
８１３    開口部
８１４    第１係合部
８１５    第２係合部
８１６    ヒンジ部
８５１    フェライトコア
８５２    貫通孔
８９１    信号ケーブル
【図１】
2010129273.tif 000004
【図２】
2010129273.tif 000005
【図３】
2010129273.tif 000006
【図４】
2010129273.tif 000007